(57)【要約】      （修正有）【課題】打撃の練習において、バットがボールに当った瞬間に全身の力をバットに集中する事を若い年齢で行う方が効果的であり、これまでのバットを振り回すスピードとフォームだけを目的とした素振り練習から、何時、何処に、どの程度の力を使うかの練習を効果的にする練習器具を提供する。【解決手段】  素振り棒８の振り初めはゴム紐３の張力は弱く、抵抗も無くスイング開始が出来、更にスイングが進むとゴム紐の張力が作用し重くなり、ミートポイントで握力、腕の力をフルパワーにするには下半身、腰の働きが必要となり、どの位置で素振り棒へ力を伝えるかをひずみゲージ１ａと発光器３ａにより目視で確認をする事で、下半身を使った素振りの練習が出来る、素振り棒。【選択図】図２
2008289834.tif 000002
【特許請求の範囲】
【請求項１】
素振り棒に、ひずみゲージを取付た、たわみ金具と発光器を設け、弾力を持った紐をたわみ金具に取付、紐の他方を固定し、紐を引っ張り素振りを行い、紐の弾力を用いて筋力増強と発光器を見て力を集中するタイミングの練習が出来るのを特徴とする、素振り棒。
【請求項２】
請求項１記載の素振り棒にゴム紐を取付た、ゴムの弾力を用いた素振り棒。
【請求項３】
請求項２記載の素振り棒の握り柄と素振りをする人の足のつま先と踵に圧力センサーを設け、それぞれの圧力が設定した強さに発光する事で発光器を見て、素振り棒に作用している強さと握り柄部を掴んでる強さ、下半身の脚に作用してる力とタイミングを確認出来るのを特徴とする、素振り棒。
【請求項４】
素振り棒に、ひずみゲージと発光器を設け、弾力を持った紐を素振り棒に取付、紐の他方を固定し、紐を引っ張り素振りを行い、紐の弾力を用いて筋力増強と発光器を見て力を集中するタイミングの練習が出来るのを特徴とする、素振り棒。
【発明の詳細な説明】
【技術分野】
【０００１】  この発明は、野球、ソフトボール、テニス等の練習で素振りを行う時に用いる物で、スポーツトレーニングに関する。
【背景技術】
【０００２】  従来から行っている素振りの練習は、筋力アップと打撃フォームに重点が置かれ、バットを振り始める初動では大きな力は必要なく、一番大切なミートの瞬間に力を集中し、見る練習が必要である。【０００３】  図６に示す様に、これまで素振りバットに重りを取り付けて素振りを行っているが、重いバットは筋力アップには成るが、上半身に力が入り過ぎ無理なフォームとなり、必要とするミートの瞬間まで力を残す練習が出来ない。
【特許文献１】  特許公開平１０−２３４９１６
【発明の開示】
【発明が解決しようとする課題】
【０００４】  これまで、野球、ソフトボールを始めた子供達に打撃の練習を教える時、コーチは腰に力を入れろ、下半身を使えと下半身の重要性を説き、素振りの大切さと練習を勧めますが、仮想空間に向かって素振りを行う時、どの位置で、またはどのタイミングで下半身、腰に力を入れるかコーチも説明するのが難しく、子供達にとっても体感出来る、分かり易い練習器具が望まれている。【０００５】  打撃の練習において、バットがボールに当った瞬間に全身の力をバットに集中する事を若い年齢で行う方が効果的であり、これまでのバットを振り回すスピードとフォームだけを目的とした素振り練習から、何時、何処に、どの程度の力を使うかの練習を効果的にする練習器具が必要である。
【課題を解決するための手段】
【０００６】  この発明は、図１、２、３に示すように、素振り棒（８）の振り初めはゴム紐（２）の張力は無くスイング開始がスムースに出来、更にスイングが進むとゴム紐（２）の張力が働きスイングが進む程重くなり、ミートポイントで握力、腕の力をフルパワーにするには下半身、腰の働きが必要となり、どの位置で素振り棒（８）へ力を伝えるかをひずみゲージ（１ａ）調整器（６）と発光器（３ａ）により目視で確認をする事で、下半身を使った素振りの練習が出来る、素振り棒。
【発明の効果】
【０００７】  この発明の素振り棒の利点は、スイング開始は素振り棒のみで従来のバットと同じ力で振りの初動が出来、徐々にゴム紐の張力が働くので、その張力に逆らった力が必要となり、ミートの位置では身体全体を使った打撃フォームをの練習が出来、体力向上と身体全体の力の集中が出来る、素振り棒。【０００８】  打撃練習は実践に近い速さのボールを沢山打つ事が最良の練習になるが、場所と時間が限られる為、小さい子供達に、どの位置で下半身に力を入れ、ミートの位置で全身の力をバットに集中するか、打撃で大切な力を入れるタイミングを身体全体を使った練習が効果的に出来る、素振り棒。
【発明を実施するための最良の形態】
【０００９】  本発明は、図１、２、に示すように、素振り棒（８）にひずみゲージ（１ａ）を取付た、たわみ金具（５）を設け、ゴム紐（２）をたわみ金具（５）に取付、他方を固定物（２０）に固定し、素振り棒（８）に作用する力の設定を調整器（６）で行うものである。【００１０】  素振り棒（８）の振り初めはゴム紐（２）の張力は無くスイング開始がスムースに出来、更にスイングが進むとゴム紐（２）の張力が働き、スイングが進む程重くなり、ミートポイントで調整器（６）で設定した設定値に達した時、発光器（３ａ）が点灯し目視で確認が出来る。【００１１】  ミートの瞬間に、力を集中し、下半身を使った打撃フォームの練習が出来、素振り棒（８）へどの位置で力を伝えれば良いか、力の配分と体感を得ながら素振りの練習が出来る、素振り棒。
【実施例１】
【００１２】    図１、２、３に示すように、素振り棒（８）に設けたゴム紐（２）の他方を固定物（２０）に固定し、素振り棒（８）を振り出し前方へ進む程、ゴム紐（２）は強く引かれ、たわみ金具（５）に設けたひずみゲージ（１ａ）と調整器（６）で設定した強さで発光器（３ａ）が点灯し素振り棒（８）に力が作用したことを目視で確認が出来る、素振り棒。
【実施例２】
【００１３】    図１、３、４に示すように、素振り者に制御器（９）を携帯させ、両脚のつま先と踵の下に圧力センサー（４ｃ）（４ｄ）（４ｅ）（４ｆ）と素振り棒を握る手袋に圧力センサー（４ａ）（４ｂ）を設け、それぞれの設定した強さ信号を制御器（９）で集約し発光器（３ｂ）を点灯させ、目視で確認が出来る、素振り棒。
【実施例３】
【００１４】  図４、に示すように、素振り者に制御器（９）を携帯させ、両脚のつま先と踵の下に圧力センサー（４ｃ）（４ｄ）（４ｅ）（４ｆ）と素振り棒の握り柄に圧力センサー（４ａ）（４ｂ）を設け、それぞれの設定した圧力信号を制御器（９）で集約し、カメラ（２１）へ撮影信号を送り、素振りフォームの撮影が出来る、素振り棒。
【実施例４】
【００１５】  図５、に示すように、素振り棒（８）にひずみゲージ（１ｂ）と発光器（３ｃ）を設け、素振り棒（８）の先方にゴム紐（２）を取付、他方を固定し、素振り棒（８）を振り出し前方へ進む程、ゴム紐（２）は強く引かれ、ひずみゲージ（１ｂ）と調整器（６）で設定した強さで発光器（３ｃ）が点灯し素振り棒（８）に力が作用したことを目視で確認が出来る、素振り棒。
【産業上の利用可能性】
【００１６】この発明の素振り棒は、野球、ソフトボール、テニス等の練習で、素振りを行う時、利用出来る物である。
【図面の簡単な説明】
【００１７】
【図１】この発明を示す姿図である。
【図２】実施例１、２を示す平面の一部カット図である。
【図３】実施例１、２を示す断面図である。
【図４】実施例３を示す圧力センサー、カメラ位置図である。
【図５】実施例４を示す平面図である。
【図６】従来の重りを使った平面図である。
【付号の説明】
【００１８】１ａ、１ｂ・・・ひずみゲージ
２・・・ゴム紐
３ａ、３ｂ、３ｃ・・・発光器
４ａ、４ｂ、４ｃ、４ｄ、４ｅ、４ｆ・・圧力センサー
５・・・たわみ金具
６・・・調整器
７・・・電源
８・・・素振り棒
９・・・制御器
２０・・固定物
２１・・カメラ
２２・・重り
【図１】
2008289834.tif 000003
【図２】
2008289834.tif 000004
【図３】
2008289834.tif 000005
【図４】
2008289834.tif 000006
【図５】
2008289834.tif 000007
【図６】
2008289834.tif 000008